(57)【特許請求の範囲】
【請求項１】
断面がコの字状の樋形を呈するフレームと；
フレームの開口部を塞ぐ状態に互いに並べられてフレームに設けられる複数の電気・電子機器とを備え；
フレームの一端部に設けられる電気・電子機器として、ネットワークに接続されて通信を行う通信モジュールと；
フレームの他端部に設けられる電気・電子機器として、交流電源に接続され、ブレーカを介して所要の電気・電子機器へ電力供給を行う電力供給モジュールと；
フレームの両端部を除く位置に設けられる電気・電子機器として、通信モジュールと接続され外部の照明負荷へ調光情報を送出する機能、または電力供給モジュールから供給される交流を外部の照明負荷へ送出する機能を備える中間モジュールと；
を具備することを特徴とする調光機器ユニット。
【請求項２】
中間モジュールは、
通信モジュールと接続され、ネットワークを介して到来する調光情報に基づき電力供給モジュールから供給される交流に対して調光処理を行った電力を外部の照明負荷へ送出する調光処理モジュールと；
ブレーカと交流分岐器とを備え、外部の調光処理装置へ電力供給モジュールから供給される交流を分岐して供給する直回路モジュールと；
スイッチングハブを有し、通信モジュールと及び外部のイーサネット（登録商標）をスイッチングハブを介して接続するイーサネット接続モジュールと；
通信モジュール及び外部のＤＭＸ調光機器と接続され、ネットワークを介して到来する情報フォーマットとＤＭＸフォーマットとの変換を行って、外部のＤＭＸ調光機器がネットワークを介した通信を可能とするＤＭＸ変換モジュールと；
のいずれか１以上または全てであることを特徴とする請求項１に記載の調光機器ユニット。
【請求項３】
通信モジュールは、無線ＬＡＮ通信を行う無線ＬＡＮ機器を備え、無線ＬＡＮ機器に接続されるアンテナがフレームの長手方向の側端部に突出していることを特徴とする請求項１または２に記載の調光機器ユニット。
【請求項４】
モジュールは、フレームに配置された状態における横方向の長さが同一に形成されていることを特徴とする請求項１ないし３のいずれか１項に記載の調光機器ユニット。
【請求項５】
フレームにおける側板の頂部には、モジュールを固定する固定部材を摺動させるレールが設けられていることを特徴とする請求項１ないし４のいずれか１項に記載の調光機器ユニット。
【請求項６】
請求項１ないし５のいずれか１項に記載の調光機器ユニットと；
調光機器ユニットに接続され、調光される照明負荷と；
ネットワークに接続され、照明負荷に係る調光情報をネットワークを介して送出する調光卓、パーソナルコンピュータまたはモバイルコンピュータ端末と；
を具備することを特徴とする調光システム。
【請求項７】
照明負荷による照明シーンを撮像し、映像情報をネットワークを介して配信するカメラ装置と；
ネットワークに接続され、配信される照明シーンに係る映像情報を取り込み、表示手段にて映像を表示する映像表示装置と；
を具備することを特徴とする請求項６に記載の調光システム。
【発明の詳細な説明】
【技術分野】
【０００１】
この発明は、スタジオやホールなどの演出用照明設備における照明機器（照明負荷）に対し調光を行う場合に好適な調光機器ユニット及びこれを用いた調光システムに関するものである。
【背景技術】
【０００２】
スタジオやホールなどの演出用照明設備においては、照明機器の調光制御を行う調光卓や、数百〜千個程度の照明機器（ランプ）について集中的にＡＣ１００Ｖで位相調光する大型調光器盤、更には、ＤＸＭ信号により照明機器を調光制御する調光関連機器などが、各部屋等の必要箇所に設置される。そして、これらの調光卓、大型調光器盤、調光関連機器の間は制御用の専用線が敷設されると共に、照明機器などには負荷線が接続され、施工設備は大型なものとなっている。係る照明システムとしては、特許文献１に記載されているものを挙げることができる
【特許文献１】特開平１０−３０２９７２号公報
【０００３】
上記の調光システムにおいて、調光設備の増設や変更を行う場合には、大型調光器盤における調光回路の変更、負荷線の敷設、接続位置（固定設備のコネクタ）の変更が必要となり、大規模な工事や時間及び経費が必要となる。
【発明の開示】
【発明が解決しようとする課題】
【０００４】
本発明は、従来の照明システムが上記の通り、大型で柔軟性に欠けているという課題を有している点に鑑みてなされたものであり、その目的は、各種の調光処理に必要な電気・電子機器をユニット化して提供でき、しかも適用する調光設備に合わせてフレキシブルに構成要素を揃えることが可能な調光機器ユニット及びこれを用いた調光システムを提供することである。また、既存の調光卓やＤＭＸ制御装置との親和性にも優れた調光機器ユニット及びこれを用いた調光システムを提供することを目的とする。
【課題を解決するための手段】
【０００５】
本発明に係る調光機器ユニットは、断面がコの字状の樋形を呈するフレームと；フレームの開口部を塞ぐ状態に互いに並べられてフレームに設けられる複数の電気・電子機器とを備え；フレームの一端部に設けられる電気・電子機器として、ネットワークに接続されて通信を行う通信モジュールと；フレームの他端部に設けられる電気・電子機器として、交流電源に接続され、ブレーカを介して所要の電気・電子機器へ電力供給を行う電力供給モジュールと；フレームの両端部を除く位置に設けられる電気・電子機器として、通信モジュールと接続され外部の照明負荷へ調光情報を送出する機能、または電力供給モジュールから供給される交流を外部の照明負荷へ送出する機能を備える中間モジュールと；を具備することを特徴とする。
【０００６】
本発明に係る調光機器ユニットでは、中間モジュールは、通信モジュールと接続され、ネットワークを介して到来する調光情報に基づき電力供給モジュールから供給される交流に対して調光処理を行った電力を外部の照明負荷へ送出する調光処理モジュールと；ブレーカと交流分岐器とを備え、外部の調光処理装置へ電力供給モジュールから供給される交流を分岐して供給する直回路モジュールと；スイッチングハブを有し、通信モジュールと及び外部のイーサネットをスイッチングハブを介して接続するイーサネット接続モジュールと；通信モジュール及び外部のＤＭＸ調光機器と接続され、ネットワークを介して到来する情報フォーマットとＤＭＸフォーマットとの変換を行って、外部のＤＭＸ調光機器がネットワークを介した通信を可能とするＤＭＸ変換モジュールと；のいずれか１以上または全てであることを特徴とする。
また、調光モジュールは、調光を行う調光部における状態を通信モジュールへ送信する機能（モニタバック機能）を有していてもよい。
【０００７】
本発明に係る調光機器ユニットでは、通信モジュールは、無線ＬＡＮ通信を行う無線ＬＡＮ機器を備え、無線ＬＡＮ機器に接続されるアンテナがフレームの長手方向の側端部に突出していることを特徴とする。
【０００８】
本発明に係る調光機器ユニットでは、モジュールは、フレームに配置された状態における横方向の長さが同一に形成されていることを特徴とする。
【０００９】
本発明に係る調光機器ユニットでは、フレームにおける側板の頂部には、モジュールを固定する固定部材を摺動させるレールが設けられていることを特徴とする。
【００１０】
本発明に係る調光システムは、請求項１ないし５のいずれか１項に記載の調光機器ユニットと；調光機器ユニットに接続され、調光される照明負荷と；ネットワークに接続され、照明負荷に係る調光情報をネットワークを介して送出する調光卓、パーソナルコンピュータまたはモバイルコンピュータ端末と；を具備することを特徴とする。
【００１１】
本発明に係る調光システムは、照明負荷による照明シーンを撮像し、映像情報をネットワークを介して配信するカメラ装置と；ネットワークに接続され、配信される照明シーンに係る映像情報を取り込み、表示手段にて映像を表示する映像表示装置と；を具備することを特徴とする。
【発明の効果】
【００１２】
本発明では、フレームに通信モジュール、電力供給モジュール及び中間モジュールを設け、通信モジュールにてネットワークに接続されて通信を行うようにし、電力供給モジュールにて交流電源についてブレーカを介して所要の電気・電子機器へ電力供給を行うようにし、中間モジュールにて通信モジュールと接続されて外部の照明負荷へ調光情報を送出する機能、または電力供給モジュールから供給される交流を外部の照明負荷へ送出する機能を備えるように構成したので、ネットワークを介した調光制御に対して対応する構成となっており、既存の装置による制御が可能であるという効果がある上に、フレームに設けられるため、変更や交換が容易である効果を備えている。
【００１３】
また本発明では、通信モジュールと接続され、ネットワークを介して到来する調光情報に基づき電力供給モジュールから供給される交流に対して調光処理を行った電力を外部の照明負荷へ送出する調光処理モジュールと；ブレーカと交流分岐器とを備え、外部の調光処理装置へ電力供給モジュールから供給される交流を分岐して供給する直回路モジュールと；スイッチングハブを有し、通信モジュールと及び外部のイーサネットをスイッチングハブを介して接続するイーサネット接続モジュールと；通信モジュール及び外部のＤＭＸ調光機器と接続され、ネットワークを介して到来する情報フォーマットとＤＭＸフォーマットとの変換を行って、外部のＤＭＸ調光機器がネットワークを介した通信を可能とするＤＭＸ変換モジュールと；のいずれか１以上または全てを備えるので、各種の調光処理に必要な電気・電子機器をユニット化して提供でき、しかも適用する調光設備に合わせてフレキシブルに構成要素を揃えることができるものである。
【発明を実施するための最良の形態】
【００１４】
本発明では、断面がコの字状の樋形を呈するフレームに、複数の電気・電子機器を並べて配置したものであり、通信モジュール、電力供給モジュール及び中間モジュールを設け、通信モジュールにてネットワークに接続されて通信を行うようにし、電力供給モジュールにて交流電源についてブレーカを介して所要の電気・電子機器へ電力供給を行うようにし、中間モジュールにて適用する調光設備に合わせてフレキシブルに構成要素を揃えるようにして、必要な機能を実現しまた変更に容易に対応するという目的を達成したものである。
【実施例１】
【００１５】
以下添付図面を参照して、本発明に係る調光機器ユニット及びこれを用いた調光システムの実施例を説明する。各図において同一の構成要素には、同一の符号を付して重複する説明を省略する。図１は本発明に係る調光機器ユニットの実施例を示す斜視図であり、図２はフレーム１からモジュールを取り外した状態の斜視図である。この実施例では、フレーム１の一端部に設けられる電気・電子機器としての通信モジュール２と、フレーム１の他端部に設けられる電気・電子機器としての電力供給モジュール３以外に、フレーム１の両端部を除く位置には中間モジュールとして、調光処理モジュール４、直回路モジュール５、イーサネット接続モジュール６及びＤＭＸ変換モジュール７が設けられている。
【００１６】
中間モジュールは、フレーム１に配置された状態における横方向の長さＬが同一に形成されている。この実施例にあっては、通信モジュール２と電力供給モジュール３についても横方向の長さＬが同一に形成されている。
【００１７】
各モジュールは、フレーム１の開口部を塞ぐ状態に互いに並べられてフレームに設けられる。通信モジュール２は、ネットワークに接続されて通信を行いフレーム１に設けられた所要の電気・電子機器によるネットワークへの通信を可能とするものであり、この例では、アンテナ１１がフレーム１の長手方向の側端部に位置することになる側板１２から突出して設けられている。この結果、側板１２の正面側にアンテナ１１が電波を受ける領域を広く取ることができ、フレームの正面方向に電波の障害物が存在することが多い環境において有利な構成となっている。
【００１８】
電力供給モジュール３は、例えばＡＣ１００Ｖ等の交流電源にケーブル３１を介して接続され、ブレーカ３２を介してフレーム１に設けられた所要の電気・電子機器へ電力供給を行うものである。この電力供給モジュール３においても、フレーム１の長手方向の側端部に位置することになる側板３３を有している。従って、この側板３３と上記通信モジュール２における側板１２により、フレーム１の両端部分の開口は塞がれることになる。
【００１９】
フレーム１における対向する２枚の側板１Ｓの頂部には、それぞれ図３に示される通り、モジュールを固定する固定部材であるネジ１０１を摺動させるレール１００が設けられている。ここでは、ネジ１０１を例としたがナットであってもよいことは勿論である。各モジュールの表面から裏面へ向ってそれぞれのモジュール毎に適宜な位置に孔１０２が設けられており、レール１００におけるネジ１０１を摺動させて上記孔１０２に合わせて位置付け、対応するナットまたはネジを螺合させて、モジュールを固定する。従って、中間モジュールの長さＬが同一であることと相俟って、その位置は必要に応じて変更可能なものである。モジュールの裏面側には電気・電子部品が設けられており、モジュール間の配線はフレーム１の凹部に収納される。なお、フレーム１の長さに応じた数のモジュールを当初から搭載する必要はなく、例えば、当初に空き部分に蓋をしておき、システムの拡張変更の場合に必要なモジュールを上記空き部分に配置することもでき、柔軟な対応が可能である。また、当初に搭載されたモジュールに代えて必要なモジュールを搭載できることは勿論である。
【００２０】
図４に電力供給モジュール３の構成ブロック図を示す。電力供給モジュール３は、ケーブル３１を介して到来するＡＣ１００Ｖをブレーカ３２を介して分電盤３４へ導き、分岐を行ってコネクタ３５−１〜３５−ｎから必要な中間モジュールへＡＣ１００Ｖを供給する。また、電源部３６を有し、ＡＣ１００Ｖを所要の直流電圧へ変換して必要な中間モジュールへ供給している。
【００２１】
図５に通信モジュール２の構成ブロック図を示す。通信モジュール２には、アンテナ１１に接続され無線ＬＡＮ信号の送受を行う無線部２１が備えられていると共に、無線部２１に接続される通信処理部２２が備えられている。通信処理部２２は、無線部２１から送られた信号を例えばイーサネット用の仕様に変換してコネクタ２３を介して送信し、またコネクタ２３から到来する信号を受信して仕様変更を行い無線部２１から送信する。電力供給部２４は、電力供給モジュール３の電源部３６から直流を取り込み無線部２１と通信処理部２２へ供給する。
【００２２】
図６に通信モジュール２に係る他の構成ブロック図を示す。この構成においては、図５の構成における無線部２１に代えて、イーサネットインタフェース２５を備えるようにしたもので、他の構成要素に変更はない。従って、この構成例では、イーサネットに接続されて通信を行うことになる。
【００２３】
図７に調光処理モジュール４の構成ブロック図を示す。調光処理モジュール４は、コネクタ４１を介して通信モジュール２のコネクタ２３と接続され、ネットワークを介して到来する調光情報に基づき電力供給モジュール３から供給される交流（ＡＣ１００Ｖ）に対して調光処理を行った電力を外部の照明負荷へ送出するものである。ＡＣ１００ＶはＡＣコネクタ４２を介して制御部４０及び調光部４３−１〜４３−ｍへ与えられている。制御部４０はＡＣ１００Ｖに基づき必要な直流電圧を生成して使用すると共に、コネクタ４１から到来するネットワークを介した調光情報を取り出し、この調光情報に含まれる調光部のアドレスに応じて調光部４３−１〜４３−ｍの該当する調光部へ送る。調光部４３−１〜４３−ｍは、制御部４０から与えられる調光信号に応じてＡＣ１００Ｖについて調光処理を行った交流をコネクタ４４−１〜４４−ｍに与える。コネクタ４４−１〜４４−ｍには、照明負荷が接続され、それぞれの照明負荷は調光処理された電力に応じた光照射を行う。また、調光部４３−１〜４３−ｍには、照明負荷側の短絡、照明負荷における温度上昇更に過電流など調光部４３−１〜４３−ｍにおける状態を検出するセンサを備えており、このセンサにより検出された状態情報を通信モジュール２側へ送るモニタバック機能を備えている。
【００２４】
図８に直回路モジュール５の構成ブロック図を示す。直回路モジュール５は、ＡＣコネクタ５１により電力供給モジュール３のコネクタ３５に接続され、ＡＣ１００Ｖを受けて交流を分電盤５０により分岐しブレーカ５２−１〜５２−ｉへ送るように構成されている。ブレーカ５２−１〜５２−ｉには、ＡＣコネクタ５３−１〜５３−ｉが接続されており、ＡＣコネクタ５３−１〜５３−ｉにはＤＭＸ調光器などが接続され、外部へのＡＣ１００Ｖの電力供給が行われる構成となっている。ここに、ＤＭＸ調光器などにより用いられるＤＭＸ信号は、米国劇場技術協会（ＵＳＩＴＴ）が規格した演出分野などに用いられるディジタル信号であり、調光制御用の調光信号の規格として用いられているＤＭＸ５１２を指している。ＤＭＸ５１２は、スタートビットとストップビットに挟まれたそれぞれが８ビットにより構成されるチャネルが５１２チャネル多重化された構成を１フレームとする信号であり、上記５１２チャネルにおける所定の１チャネルが１つの調光器へ調光制御を行う２５５階調（８ビット）の調光信号とされる。１フレームの開始検出は、ブレーク（ＢＲＥＡＫ）とスタートコードを検出することにより行われる。また、各調光装置に含まれている調光器に対応するチャネルは、上記フレームの開始からスタートビットとストップビットに挟まれたチャネルが幾つ到来したかをカウントして検出する。
【００２５】
図９にイーサネット接続モジュール６の構成ブロック図を示す。イーサネット接続モジュール６は、スイッチングハブ６０を備え、通信モジュール２と及び外部のイーサネットをスイッチングハブ６０を介して接続するものである。スイッチングハブ６０には、通信モジュール２のコネクタ２３と接続されるコネクタ６１が接続されており、また、外部のイーサネットに接続するコネクタ６２−１〜６２−ｊが接続されている。上記のコネクタ６２−１〜６２−ｊは、図１と図２に示されるように調光機器ユニットの表面側に設けられている。電源部６３は電力供給モジュール３の電源部３６から直流を取り込みスイッチングハブ６０へ電力供給する。
【００２６】
図１０にＤＭＸ変換モジュール７の構成ブロック図を示す。ＤＭＸ変換モジュール７は、通信モジュール２及び外部のＤＭＸ調光機器と接続される。ＤＭＸ変換モジュール７には、ＤＭＸ変換部７０が設けられており、ＤＭＸ変換部７０は、ネットワークを介して到来する情報フォーマットとＤＭＸフォーマットとの変換を行って、外部のＤＭＸ調光機器がネットワークを介した通信を可能とするものである。ＤＭＸ変換部７０につながっているコネクタ７１は通信モジュール２のコネクタ２３に接続されるものであり、ＤＭＸ変換部７０につながっているコネクタ７２−１〜７２−ｋは外部のＤＭＸ調光機器に接続されるものである。コネクタ７２−１〜７２−ｋは図１と図２に示されるように調光機器ユニットの表面側に設けられている。電源部７３は電力供給モジュール３の電源部３６から直流を取り込みＤＭＸ変換部７０へ電力供給する。
【００２７】
図１１に、直回路モジュール５に接続されると共に、イーサネット接続モジュール６またはＤＭＸ変換モジュール７に接続される照明装置の構成例を示す。ＡＣコネクタ８１により直回路モジュール５のＡＣコネクタ５３−１〜５３−ｉからＡＣ１００Ｖの供給を受け、コネクタ８２により、イーサネット接続モジュール６のコネクタ６２−１〜６２−ｊまたはＤＭＸ変換モジュール７のコネクタ７２−１〜７２−ｋに接続される。調光器８０は、イーサネットに接続されるものであれば、ネットワークの情報から自装置アドレスを宛先とする調光情報を取り出し、ＡＣ１００Ｖの調光を行って照明負荷８３−１〜８３−ｓへ出力する。また、調光器８０は、ＤＭＸ調光器であれば、ＤＭＸフォーマットの情報から自装置に設定された先頭の照明負荷（例えば照明負荷８３−１）アドレスを宛先とする調光情報を取り出し、照明負荷８３−１〜８３−ｓにそれぞれ対応する調光情報に基づきＡＣ１００Ｖの調光を行って照明負荷８３−１〜８３−ｓへ出力する。
【００２８】
以上の通りに構成された調光機器ユニットを用いて構成した調光システムの一例を図１２に示す。この調光システムでは、インターネット通信が可能な汎用のネットワーク２００に、イーサネットを介して調光卓２０１、パーソナルコンピュータ２０２を接続する。更に、ネットワーク２００に無線ＬＡＮ装置２０３を設けて、図５のタイプの通信モジュール２を搭載した調光機器ユニット２０４〜２０７により無線ＬＡＮを構成する。また、調光機器ユニット２０４にイーサネット接続モジュール６を搭載して、図６のタイプの通信モジュール２を搭載した調光機器ユニット２０８、２０９を接続する。
【００２９】
各調光機器ユニット２０４〜２０９には、調光処理モジュール４を介して、または、直回路モジュール５及びイーサネット接続モジュール６またはＤＭＸ変換モジュール７を介して、照明負荷が接続される。直回路モジュール５及びイーサネット接続モジュール６またはＤＭＸ変換モジュール７を介して接続を行う場合には、図１１に示した装置構成が採用される。各調光機器ユニット２０４〜２０９は、スタジオやホール等の壁に或いは照明機器を吊り下げて昇降するバトンと称される照明機器取付材に直接或いは間接に固定されて設けられる。
【００３０】
調光機器ユニット２０４〜２０９に接続される照明負荷により実現される照明シーンを撮像するためにＷｅｂカメラ２１０がネットワーク２００に接続されている。更に、スタジオやホール等の現場において、照明状況をオペレータが見ながら調光制御を行うためにモバイル端末２１１が用いられる。以上のような構成において、Ｗｅｂカメラ２１０は撮像した照明シーンの映像信号をネットワーク２００により伝送可能なＭＰＥＧなどの形式として送信する。映像情報はパーソナルコンピュータ２０２により取込み、ディスプレイにて表示することができる。このため、スタジオやホール等の現場以外の場所でオペレータが照明シーンを見ることができ、必要な調光制御を調光卓２０１において行うことが可能である。
【００３１】
調光卓２０１において行った調光制御により、調光情報が作成され、イーサネットからネットワーク２００を介して無線ＬＡＮ装置２０３経由で調光機器ユニット２０４〜２０７へ送られ、調光機器ユニット２０４とイーサネットを経由して調光機器ユニット２０８、２０９へ送られる。各調光機器ユニット２０４〜２０９には、調光処理モジュール４を介して、または、直回路モジュール５及びイーサネット接続モジュール６またはＤＭＸ変換モジュール７を介して、照明負荷が接続されており、所要の照明負荷が調光制御されることは既に述べた通りである。また、モバイル端末２１１において調光制御が行うことにより、調光情報が作成され、無線ＬＡＮを介して調光機器ユニット２０４〜２０７へ、更に調光機器ユニット２０４とイーサネットを経由して調光機器ユニット２０８、２０９へ送られる。この場合にも、所要の照明負荷が調光制御される。調光処理モジュール４が前述のモニタバック機能を用いて、また、図１１の調光器８０が前述のモニタバック機能と同様の構成を有して各照明負荷の状態等を検出して、状態情報を調光卓２０１へ返送する構成を採用してもよく、この場合には、上記調光情報の送信経路と逆向きの経路で調光卓２０１への情報送信が行われる。
【００３２】
調光卓２０１としては、ＤＭＸ調光卓を採用することもでき、この場合には図１３に示されるように構成される。即ち、調光情報または調光状態情報をＤＭＸフォーマットにより送受するＤＭＸ調光卓本体３０１と、ＤＭＸフォーマットとネットワーク２００のフォーマットの変換を行うＤＭＸ変換部３０２と、ネットワーク２００に接続を行うインタフェース３０３とから構成する。この構成によれば、調光機器ユニット２０４〜２０９の所要なものにＤＭＸ変換モジュール７を搭載して、ＤＭＸ調光器を接続することにより、ＤＭＸ調光卓である調光卓２０１から調光制御を行うことができ、また、調光状態情報を収集することも可能である。
【図面の簡単な説明】
【００３３】
【図１】本発明に係る調光機器ユニットの実施例において組み立てられた状態を示す斜視図。
【図２】本発明に係る調光機器ユニットの実施例においてモジュールが取り外された状態を示す斜視図。
【図３】本発明に係る調光機器ユニットの実施例の要部を示す斜視図。
【図４】本発明に係る調光機器ユニットに搭載される電力供給モジュールの実施例を示す構成ブロック図。
【図５】本発明に係る調光機器ユニットに搭載される通信モジュールの実施例を示す構成ブロック図。
【図６】本発明に係る調光機器ユニットに搭載される通信モジュールの他の実施例を示す構成ブロック図。
【図７】本発明に係る調光機器ユニットに搭載される調光処理モジュールの実施例を示す構成ブロック図。
【図８】本発明に係る調光機器ユニットに搭載される直回路モジュールの実施例を示す構成ブロック図。
【図９】本発明に係る調光機器ユニットに搭載されるイーサネット接続モジュールの実施例を示す構成ブロック図。
【図１０】本発明に係る調光機器ユニットに搭載されるＤＭＸ変換モジュールモジュールの実施例を示す構成ブロック図。
【図１１】本発明に係る調光機器ユニットに接続され得る照明装置の構成例を示すブロック図。
【図１２】本発明に係る調光機器ユニットを用いて構成した調光システムの一実施例を示すブロック図。
【図１３】図１２の調光卓としてＤＭＸ調光卓を採用した場合の構成例を示すブロック図。
【符号の説明】
【００３４】
１  フレーム
２  通信モジュール
３  電力供給モジュール
４  調光処理モジュール
５  直回路モジュール
６  イーサネット接続モジュール
７  ＤＭＸ変換モジュール
１１  アンテナ
３１  ケーブル
３２  ブレーカ
１００  レール
２００  ネットワーク
２０１  調光卓
２０２  パーソナルコンピュータ
２０３  無線ＬＡＮ装置
２０４〜２０９  調光機器ユニット
２１０  Ｗｅｂカメラ
２１１  モバイル端末
【図１】
0004517999.tif 000002
【図２】
0004517999.tif 000003
【図３】
0004517999.tif 000004
【図４】
0004517999.tif 000005
【図５】
0004517999.tif 000006
【図６】
0004517999.tif 000007
【図７】
0004517999.tif 000008
【図８】
0004517999.tif 000009
【図９】
0004517999.tif 000010
【図１０】
0004517999.tif 000011
【図１１】
0004517999.tif 000012
【図１３】
0004517999.tif 000013
【図１２】
0004517999.tif 000014